(57)【要約】  モジュール式コンピュータ装置技術について説明する。１つ又は複数の実装形態では、コンピュータ装置は、ハウジングと、ヒンジを介してハウジングに物理的且つ通信可能に結合されるディスプレイ装置と、ハウジング内に配置された、ディスプレイ装置によるディスプレイの表示を出力するように構成された１つ又は複数のディスプレイハードウェア要素と、を含むディスプレイモジュール式コンポーネントを有する。コンピュータ装置は、また、ディスプレイモジュール式コンポーネントに物理的及び通信可能に結合されるハウジングと、ハウジング内に配置される処理システムと、ハウジング内に配置されるメモリと、を含むコンピュータモジュール式コンポーネントを有する。処理システムは、処理システムにより記憶された命令を実行して、ディスプレイモジュール式コンポーネントのディスプレイ装置によって表示するためのユーザインターフェイスを生成するように構成される。
2017526060.tif 000002
【特許請求の範囲】
【請求項１】
コンピュータ装置であって、当該コンピュータ装置は、
ハウジングと、ヒンジを介して前記ハウジングに物理的且つ通信可能に結合されるディスプレイ装置と、前記ハウジング内に配置され且つ前記ディスプレイ装置によるディスプレイの表示を出力する１つ又は複数のディスプレイハードウェア要素とを含むディスプレイモジュール式コンポーネントと、
該ディスプレイモジュール式コンポーネントに物理的且つ通信可能に結合されるハウジングと、前記ハウジング内に配置された処理システムと、前記ハウジング内に配置されたメモリとを含むコンピュータモジュール式コンポーネントと、を有しており、
前記処理システムは、前記処理システムによって記憶された命令を実行して、前記ディスプレイモジュール式コンポーネントの前記ディスプレイ装置によって表示するためのユーザインターフェイスを生成するように構成される、
コンピュータ装置。
【請求項２】
前記コンピュータモジュール式コンポーネントは、機械式アタッチメントを形成するために、キャビティを介して受容される１つ又は複数の突起部によって前記ディスプレイモジュール式コンポーネントに接続されるように構成される、請求項１に記載のコンピュータ装置。
【請求項３】
前記機械式アタッチメントは、軸ずれした取外し(off-axis  removal)によって、前記１つ又は複数の突起部の機械的結合を前記キャビティ内で生じさせるように形成される、請求項２に記載のコンピュータ装置。
【請求項４】
前記コンピュータモジュール式コンポーネントは、磁気アタッチメント装置による磁気取付け支持によって前記ディスプレイモジュール式コンポーネントに接続されるように構成される、請求項１に記載のコンピュータ装置。
【請求項５】
前記磁気アタッチメント装置は、磁束噴流(flux  fountain)を含む、請求項４に記載のコンピュータ装置。
【請求項６】
前記ディスプレイモジュール式コンポーネント及びコンピュータ装置のモジュール式コンポーネントは、前記ディスプレイモジュール式コンポーネント及び前記コンピュータ装置のモジュール式コンポーネントの熱管理を容易にするように構成された共通の空気導管を共有する、請求項１に記載のコンピュータ装置。
【請求項７】
前記ディスプレイモジュール式コンポーネント及び前記コンピュータモジュール式コンポーネントの前記ハウジングは、スタック可能な配置を有する、請求項１に記載のコンピュータ装置。
【請求項８】
前記スタック可能な配置は、前記コンピュータモジュール式コンポーネントの前記ハウジングが表面に対して配置されるように構成され、前記ディスプレイモジュール式コンポーネントの前記ハウジングが前記コンピュータモジュール式コンポーネントの前記ハウジングの上に積み重ねられるように構成される、請求項７に記載のコンピュータ装置。
【請求項９】
前記ディスプレイモジュール式コンポーネントは、前記ディスプレイ装置が転倒することなく前記ヒンジを介して回転可能となるように、前記ディスプレイ装置の重量に反作用するのに十分な量の重量を有する、請求項１に記載のコンピュータ装置。
【請求項１０】
前記ディスプレイモジュール式コンポーネントは、異なる機能を有する複数のコンピュータモジュール式コンポーネントに通信可能に結合されるように構成され、前記複数のコンピュータモジュール式コンポーネントのそれぞれは、互いに異なる視覚特性を有し、異なるそれぞれの機能を示す、請求項１に記載のコンピュータ装置。
【請求項１１】
前記コンピュータモジュール式コンポーネントに物理的且つ通信可能に結合するように構成されたハウジングを含むアクセサリモジュール式コンポーネントをさらに有する、請求項１に記載のコンピュータ装置。
【請求項１２】
バッテリが、前記コンピュータ装置によって充電可能であり、取り外し可能であり、異なるコンピュータ装置に電力を供給するために使用可能である、請求項１１に記載のコンピュータ装置。
【請求項１３】
前記ディスプレイモジュール式コンポーネントの前記ディスプレイ装置に物理的且つ通信可能に結合するように構成されたハウジングを含むナチュラル・ユーザインターフェイスモジュール式コンポーネントをさらに有する、請求項１に記載のコンピュータ装置。
【請求項１４】
前記ナチュラル・ユーザインターフェイスモジュール式コンポーネントは、ユーザの発言を検出するとともに、前記発言を前記コンピュータモジュール式コンポーネントに通信して前記ユーザの１つ又は複数の発声を認識するように構成されたマイクを含み、且つ画像を取り込むとともに、前記画像を前記コンピュータモジュール式コンポーネントに通信して１つ又は複数のジェスチャを認識するように構成されたカメラを含む、請求項１３に記載のコンピュータ装置。
【請求項１５】
システムであって、当該システムは、
コンピュータモジュール式コンポーネントと、
ヒンジを介して前記コンピュータモジュール式コンポーネントに物理的且つ通信可能に結合されるディスプレイ装置と、
前記コンピュータモジュール式コンポーネント内に配置されるとともに、前記ディスプレイ装置によるディスプレイの表示を出力するように構成された１つ又は複数のディスプレイハードウェア要素と、を有しており、
前記コンピュータモジュール式コンポーネントは、内部に配置された、ツールを使用せずに前記コンピュータモジュール式コンポーネント内で交換可能な複数のハウジングへの通信可能且つ取り外し可能な物理的結合部を含み、
前記複数のハウジングは、
内部に配置された処理システムを含む処理システムハウジングと、
内部に配置されたメモリを含むメモリハウジングと、を含み、
前記ハウジングは、ツールを使用せずにユーザによって前記コンピュータモジュール式コンポーネントの前記ハウジング内で交換可能である前記処理システム及び前記メモリを含む、
システム。
【発明の詳細な説明】
【技術分野】
【０００１】
本願は、モジュール式コンピュータ装置に関する。
【背景技術】
【０００２】
コンピュータ装置と共に使用するために利用可能にされるハードウェアリソースの範囲及び機能が、益々増大している。例えば、より高速なプロセッサ、より大容量のストレージをサポートするメモリ、増加する帯域幅をサポートする無線通信装置等が、絶えず開発されている。
【発明の概要】
【０００３】
しかしながら、この増大した機能をユーザに利用可能にさせる従来技術は、一般に、ユーザの現在の装置を、この機能を有する新しい装置に交換することを伴っていた。従って、これらの従来の技術は高価となり、従ってユーザによって敬遠され、それにより、この増大した機能をユーザに提供する装置メーカの機会を制限している。
【０００４】
モジュール式コンピュータ装置技術について、説明する。１つ又は複数の実装形態では、コンピュータ装置は、ハウジングと、ヒンジを介してハウジングに物理的且つ通信可能に結合されるディスプレイ装置と、ハウジング内に配置され、ディスプレイ装置によるディスプレイの表示を出力するように構成された１つ又は複数のディスプレイハードウェア要素と、を含むディスプレイモジュール式コンポーネントを有する。コンピュータ装置は、ディスプレイモジュール式コンポーネントに物理的及び通信可能に結合されるハウジングと、ハウジング内に配置される処理システムと、ハウジング内に配置されるメモリと、を含むコンピュータモジュール式コンポーネントも含む。処理システムは、処理システムにより記憶された命令を実行して、ディスプレイモジュール式コンポーネントのディスプレイ装置によって表示するためのユーザインターフェイスを生成するように構成される。
【０００５】
１つ又は複数の実装形態では、ディスプレイモジュール式コンポーネントは、ハウジングと、ヒンジを介してハウジングに物理的且つ通信可能に結合されるディスプレイ装置と、ハウジング内に配置され且つディスプレイ装置によるディスプレイの表示を出力するように構成された１つ又は複数のディスプレイハードウェア要素とを含む。ハウジングは、内部に配置された、ディスプレイに関連する機能をサポートするように構成されたハードウェア要素を有する複数の他のハウジングに対して、通信可能且つ取り外し可能な物理的結合を形成するように構成される。
【０００６】
１つ又は複数の実装形態では、システムは、複数のモジュール式コンポーネントを含み、モジュール式コンポーネントのそれぞれは、互いにスタック可能な配置を形成するように構成され、且つコンピュータ装置を形成するために物理的及び通信可能に結合されるように構成されたそれぞれのハウジングを有する。
【０００７】
１つ又は複数の実装形態では、複数のモジュール式コンポーネントが取得され、各モジュール式コンポーネントは、互いにスタック可能な配置を形成するように構成されたそれぞれのハウジングを有する。複数のモジュール式コンポーネントは、コンピュータ装置を形成するために積み重ねられる。
【０００８】
この要約は、以下の詳細な説明でさらに説明する概念の選択を簡略化した形で紹介するために提供される。この要約は、特許請求の範囲の主題の重要な特徴又は本質的な特徴を特定することを目的としておらず、ましてや特許請求の範囲に記載された主題の範囲を決定する際の助けとして使用されることも意図していない。
【図面の簡単な説明】
【０００９】
【図１】本明細書に記載のモジュール式コンピュータ装置技術を用いて動作可能な例示的な実装形態の環境を示す図である。
【図２】モジュール式コンポーネントを、コンピュータ装置に追加する又はコンピュータ装置から取り外した状態の、図１のコンピュータ装置の様々な構成を示す例示的な実装形態を表す図である。
【図３】図１のコンピュータ装置が別のアクセサリモジュール式コンポーネントも含む例示的な実装形態を表す図である。
【図４】ディスプレイモジュール式コンポーネントのハウジングに対するディスプレイ装置の動きが示される例示的な実装形態を表す図である。
【図５】図１のモジュール式コンポーネントが、対応する機能をモジュール式コンポーネントに追加又は除去するために交換可能な、内部に配置されたハウジングを含む例示的な実装形態を表す図である。
【図６】図１のモジュール式コンポーネントが、対応する機能をモジュール式コンポーネントに追加又は除去するために交換可能な、内部に配置されたハウジングを含む例示的な実装形態を表す図である。
【図７】図１のコンピュータ装置を垂直面に取り付けた状態として示す例示的な実装形態を表す図である。
【図８】図１〜図３のコンピュータ装置の追加の例示的な実装形態を表す図である。
【図９】図１〜図３のコンピュータ装置の追加の例示的な実装形態を表す図である。
【図１０】図１〜図３のコンピュータ装置の追加の例示的な実装形態を表す図である。
【図１１】図１〜図３のコンピュータ装置の追加の例示的な実装形態を表す図である。
【図１２】図１〜図３のコンピュータ装置の追加の例示的な実装形態を表す図である。
【図１３】図１〜図３のコンピュータ装置の追加の例示的な実装形態を表す図である。
【図１４】図１のモジュール式コンピュータ装置が積み重ねによって組み立てられた例示的な実装形態における手順を表すフロー図である。
【図１５】本明細書に記載の技術の実施形態を実装するために、図１〜図１４を参照して説明した任意のタイプのコンピュータ装置として実装することができる例示的な装置の様々なコンポーネントを含む例示的なシステムを示す図である。
【発明を実施するための形態】
【００１０】
添付の図面を参照して詳細な説明について説明する。図面において、参照符号の最も左の桁は、その参照符号が最初に現れる図を特定する。詳細な説明及び図面における異なる例での同じ参照符号の使用は、同様又は同一の項目を指し示し得る。図面に表される構成要素は、１つ又は複数の構成要素を示すことができ、従って、議論において、単一の形態の又は複数の形態の構成要素について、参照を交換可能に行うことができる。
【００１１】
概要
益々増大する機能の多様性がコンピュータ装置に利用可能にされる割合は、増大し続けている。しかしながら、この機能をユーザに利用可能にするために利用される従来技術は、典型的に、全体としてコンピュータ装置を交換することに依存しており、これは、高価であり、従って、ユーザがこの益々増大する機能にアクセスすることを制限している。
【００１２】
モジュール式コンピュータ装置技術について説明する。１つ又は複数の実装形態では、コンピュータ装置は、所望の機能を追加するためにツールを使用せずに、互いに物理的及び通信可能に結合され得るそれぞれのハウジングを使用して形成される複数のモジュール式コンポーネントから組み立てられる。例えば、ディスプレイモジュール式コンポーネントは、ハウジングと、ディスプレイ装置と、ディスプレイに電力を供給するように構成された電源とを含むことができる。コンピュータモジュール式コンポーネントをディスプレイモジュール式コンポーネントに取り付けることにより、処理及びメモリ機能を追加するだけでなく、ディスプレイモジュール式コンポーネントから電力を受け取ることができる。ナチュラル・ユーザインターフェイス(natural  user  interface)を介した入力をサポートする、スピーカ、ホログラフ（例えば、拡張現実のサポート）、バッテリを追加する等のために、アクセサリモジュール式コンポーネントを取り付けることもできる。
【００１３】
さらに、これらのモジュール式コンポーネントは、モジュール自体を使用して形成してもよい。例えば、コンピュータモジュール式コンポーネントは、処理システムを有するハウジング、メモリシステムを有する別のハウジング、無線通信装置を有するさらに別のハウジング等を含むことができる。これらのハウジングは、コンピュータ装置の処理リソース、メモリリソース、及び／又はネットワークリソースを更新する等、必要に応じて機能を変更するためにハウジング内で「交換可能」に構成することができる。このように、コンピュータ装置は、ハードウェアの詳しい知識を必要とせずに、直感的な方法でユーザによって容易に変更され、改造することができ、その更なる説明は以下の段落に関連して見出すことができる。
【００１４】
以下の説明では、本明細書で説明するモジュール式コンピュータ装置技術を用いることができる例示的な環境について最初に説明する。以下の段落の実施例に関連して説明される機能、特徴、及び概念は、本明細書に記載される手順の文脈において用いることができる。さらに、以下の異なる手順に関連して説明される機能、特徴、及び概念は、様々な手順の間で交換することができ、個々の手順の文脈での実装形態に限定されるものではない。さらに、本明細書における異なる代表的な手順に関連するブロック及び対応する図は、一緒に適用してもよく、及び／又は異なる方法で組み合わせてもよい。従って、本明細書の異なる例示的な環境、装置、コンポーネント、及び手順に関連して説明される個々の機能、特徴、及び概念は、任意の適切な組合せで使用してもよく、列挙された実施例によって表される特定の組合せに限定されるものではない。
【００１５】
例示的な環境
図１は、本明細書に記載の技術を用いて動作可能な例示的な実装形態における環境１００の図である。図示される環境１００は、モジュール式構成を有するコンピュータ装置１０２を含む。コンピュータ装置１０２は、様々な構成を取ることができる。
【００１６】
図示されるように、例えば、コンピュータ装置１０２は、コンピュータ装置が表面１０４上に配置されるように構成された「デスクトップ」構成を取る。図７で始まる実施例に示されるような垂直面（例えば、カート、壁、冷蔵庫、販売時点管理旋回式ベース）への取付け、図９に関連してさらに説明されるようなモバイル又はテレビ実装形態での使用等のための別の実施例も企図される。
【００１７】
例えば、コンピュータ装置は、ネットワークを介して通信可能なデスクトップコンピュータ、移動局、エンターテインメント機器、ディスプレイ装置に通信可能に結合されたセットトップボックス、無線電話、ゲーム機等のコンピュータとして構成することができる。従って、コンピュータ装置１０２は、実質的なメモリリソース及びプロセッサリソースを有するフルリソース装置（例えば、パーソナルコンピュータ、ゲーム機）から、限定されたメモリリソース及び／又は処理リソースを有する低リソース装置（例えば、従来のセットトップボックス、手持ち式ゲーム機）までの範囲となり得る。さらに、単一のコンピュータ装置１０２が示されているが、コンピュータ装置１０２は、リモートコントロール及びセットトップボックスの組合せ、画像取込み装置、及びジェスチャ等をキャプチャするように構成されたゲーム機等の複数の異なる装置を表すことができる。
【００１８】
コンピュータ装置１０２は、互いに物理的且つ通信可能に結合され、様々な異なる機能にアクセスするための互換性を提供する複数のモジュール式コンポーネント１０６を含む。さらに、視覚特性を用いて、この異なる機能、例えば色、グラフィック等を示すことができる。
【００１９】
モジュール式構成要素１０６の例は、ディスプレイモジュール式コンポーネント１０８である。ディスプレイモジュール式コンポーネント１０８は、内部に配置された１つ又は複数のディスプレイハードウェア要素１１２を有するハウジング１１０を含む。ディスプレイハードウェア要素１１２は、例えば、ディスプレイモジュール式コンポーネント１０８のディスプレイ装置１１４に表示するための出力を生成するように構成されるハードウェア要素を含むことができる。
【００２０】
ディスプレイモジュール式コンポーネント１０８は、ヒンジ１１６を介してディスプレイ装置１１４に通信可能且つ物理的に（例えば、回転式に）接続される。ディスプレイ装置１１４は、ジェスチャ及び他の入力を認識するタッチスクリーン機能を含む等、様々な機能を含むことができる。ディスプレイモジュール式コンポーネント１０８のハウジング１１０に対するディスプレイ装置１１４の回転は、様々な異なる機能をサポートするために利用してもよく、その更なる説明が、図４に関連して見出すことができる。
【００２１】
コンピュータ装置１０２のモジュール式コンポーネント１１８の別の例が、コンピュータモジュール式コンポーネント１１８として示されている。コンピュータモジュール式コンポーネント１１８は、ディスプレイモジュール式コンポーネント１０８のハウジング１１０とは別個のハウジング１２０を含み、そのハウジング１２０は、ディスプレイモジュール式コンポーネント１０８に物理的且つ通信可能に結合される。コンピュータモジュール式コンポーネント１１８は、ディスプレイモジュール式コンポーネント１０８に追加することができる機能を表しており、この場合に、図２に関連してさらに説明するような処理システム１２２及びメモリ１２４を含む。
【００２２】
コンピュータ装置１０２のモジュール式コンポーネント１０６のさらに別の例は、アクセサリモジュール式コンポーネント１２６である。上記と同様に、アクセサリモジュール式コンポーネント１２６は、ハウジング１２８と、その内部に配置されたアクセサリハードウェア要素１３０とを含む。アクセサリモジュール式コンポーネント１２６は様々な構成を取ることができ、アクセサリハードウェア要素１３０も様々な構成を取ることができる。
【００２３】
例えば、アクセサリモジュール式コンポーネント１２６は、スピーカ、プロジェクタ、ホログラフィック・プロジェクタ等の出力装置として構成することができ、アクセサリハードウェア要素１３０は、この機能をサポートするように構成することができる。アクセサリモジュール式コンポーネント１２６は、図３に関連してさらに説明するようなナチュラル・ユーザインターフェイス装置等の入力装置として構成することもできる。コンピュータモジュール式コンポーネント１１８及び／又はディスプレイモジュール式コンポーネント１０８に電力を供給するために使用され得るバッテリ、別のコンピュータ装置と共に使用するためにコンピュータ装置１０２によって充電されるバッテリを含む他の構成も企図される。
【００２４】
図示される例では、モジュール式コンポーネント１１６は、図７等に示されるように表面１０４上で垂直方向に取り付けられ、載置されたときに、１つのモジュール式コンポーネントが別のモジュール式コンポーネントの「上に」積み重ねられたスタック構成を取るものとして示されている。他の構成もその精神及び範囲から逸脱することなく企図される。モジュール式コンポーネント１１６同士の間の物理的且つ通信可能な結合は、様々な方法で達成される。例えば、構成要素同士の間に物理的な接続を形成するために磁気が利用されるような、磁気結合装置を含めることができる。例えば、磁気結合装置は、磁石を整列して磁場を互いに整列させるような場合よりも固定力を増大させるために、複数の磁石が、構成要素から「外向きに」離れる方向に磁束を誘導して、（例えば、互いに直交するように）配置された磁束噴流(flux  fountain)を含むことができる。
【００２５】
別の例では、図示されるように、突起部１３２及びキャビティ１３４構成を利用することができる。図示される例では、突起部１３２の高さに対応する軸線は、モジュール式コンポーネントが取り付け及び取り外される方向を規定するが、他の方向の機械的結合を生じさせて、これら他の方向への取り外しを制限する。機械的ラッチ等の他の例も企図される。こうして、ユーザは、コンピュータ装置１０２からモジュール式コンポーネントを容易に追加、除去、及び交換して、所望の機能を含むコンピュータ装置１０２を構成することができ、その更なる説明は、以下の詳細な説明に関連して見出され、且つ対応する図に示される。
【００２６】
図２は、モジュール式コンポーネントのコンピュータ装置への追加又は除去による、図１のコンピュータ装置１０２の様々な構成を示す例示的な実装形態２００を表す。この実装形態２００は、図１のコンピュータ装置１０２の構成の第１、第２、及び第３の実施例２０２，２０４，２０６を含む。
【００２７】
第１の実施例２０２では、ディスプレイモジュール式コンポーネント１０８は、追加のモジュール式コンポーネントなしで、単独で使用されるものとして示されている。図示されるように、ディスプレイモジュール式コンポーネント１０８は、電源を含み、且つ別の装置と共に利用される、ＨＤＭＩ（登録商標）、ディスプレイポート、ＵＳＢポート等の１つ又は複数の入力部を含むことができる。ディスプレイモジュール式コンポーネント１０８は、ディスプレイ装置１１４の重量を打ち消すのに十分な量のバラストを含むこともでき（例えば、スピーカ、鉛重り等を使用して達成することができる）、それによってコンポーネント１０８が、転倒することなく図１に示されるように表面１０４上に配置される。
【００２８】
１つ又は複数の実装形態では、ディスプレイモジュール式コンポーネント１０８は、モバイル構成のための軽量なオペレーティングシステム、プロセッサ、及びメモリをサポートするために、「薄い」コンピュータ装置として構成されるようなオペレーティングシステムを実行する機能も含む。従って、コンピュータモジュール式コンポーネント１１８の追加は、「厚い」又は「リッチな」コンピュータ装置構成をサポートするために、処理、メモリ、及び／又はネットワークリソース機能を追加する等、この例のこの機能を補うために利用される。
【００２９】
第２の実施例２０４では、コンピュータモジュール式コンポーネント１１８が、スタックによってディスプレイモジュール式コンポーネント１０８に追加され、コンポーネント１０８，１１８の間の物理的且つ通信可能な結合を形成する。こうして、コンピュータモジュール式コンポーネント１１８の機能をディスプレイモジュール式コンポーネント１０８に追加することができ、その逆も可能である。例えば、コンピュータモジュール式コンポーネント１１８は、ディスプレイ装置１１４による出力のためのユーザインターフェイスを生成するために利用され、ディスプレイモジュール式コンポーネント１０８は、コンピュータモジュール式コンポーネント１１８に電力を供給するために利用され得る。
【００３０】
第３の実施例では、アクセサリモジュール式コンポーネント１２６が、スタックによってコンピュータモジュール式コンポーネント１１８に追加され、ディスプレイコンポーネント１０８、コンピュータコンポーネント１１８、及びアクセサリコンポーネント１２６の間の物理的且つ通信可能な結合を形成する。例えば、図１に関して前述したように、ツールを使用せずに、突起部、磁気、機械的接続（例えば、摺動可能なラッチ）等によって、アクセサリモジュール式コンポーネント１２６とコンピュータモジュール式コンポーネント１１８との間に、通信可能且つ物理的な結合を形成することができる。前述したようなバッテリ電源、入力装置及び／又は出力装置、ナチュラル・ユーザインターフェイス入力装置等の、様々な異なる機能を追加することができる。他のアクセサリ構成も企図され、その一例を以下に記載し、対応する図に示す。
【００３１】
図３は、図１のコンピュータ装置１０２が別のアクセサリモジュール式コンポーネント３０２も含む例示的な実装形態３００を表す。この例では、アクセサリモジュール式コンポーネント３０２のハウジング３０４は、例えば、突起部、磁気、機械的ラッチ等の使用によって、ディスプレイモジュール式コンポーネント１０８のディスプレイ装置１１４に物理的且つ通信可能に結合される。アクセサリモジュール式コンポーネント３０２のこの位置での配置は、前述したアクセサリ機能のいずれか１つ等の、様々な異なる機能をサポートするために利用することができる。
【００３２】
図示される例では、アクセサリは、ナチュラル・ユーザインターフェイス（NUI）入力装置３０６をサポートするように構成され、タッチ機能を伴わない可能性のある対話を認識し得るナチュラル・ユーザインターフェイス（NUI）をサポートする。例えば、ＮＵＩ入力装置３０６は、マイクを使用して音声入力を認識する等、ユーザが特定の装置に触れることなく入力を検出する様々な方法で構成することができる。例えば、ＮＵＩ入力装置３０６は、音声認識をサポートしており、特定の発声（例えば、発話されたコマンド）を認識するだけでなく、発声を行った特定のユーザを認識するように構成してもよい。
【００３３】
別の例では、ＮＵＩ入力装置３０６は、カメラの使用によってジェスチャ、提示された対象物、画像等の認識をサポートするように構成してもよい。例えば、カメラは、異なる視点からキャプチャして深度を決定できるように、複数のレンズを含むように構成してもよい。例えば、異なる視点を使用して、ＮＵＩ入力装置３０６からの相対距離、従って相対距離の変化を決定することができる。
【００３４】
別の例では、飛行時間型カメラを利用して、例えば、ユーザの腕、手、指、脚、胴、及び頭等の対象物の相対距離を決定することができる。例えば、ＮＵＩ入力装置３０６は、どの身体部分が動作を行うために使用されるかだけでなく、どのユーザがその動作を行ったかを含む、ユーザによって行われた１つ又は複数の動作を認識するために解析される画像を取り込むことができる。動作は、ＮＵＩ入力装置３０６によってジェスチャとして識別され、対応する機能を開始することができる。従って、ＮＵＩ入力装置３０６は、様々な異なる方法で深さ知覚をサポートするために活用することができる。ＮＵＩ入力装置３０６によって取り込まれた画像は、（例えば、顔認識によって）特定のユーザ、対象物等を識別する技術等の、様々な他の機能を提供するために利用することができる。
【００３５】
単一のタイプの入力（例えば、動きジェスチャ）から認識されるジェスチャだけでなく、複数のタイプの入力を伴うジェスチャ、例えばスタイラス等の物体を使用して行われる動きジェスチャ及びオブジェクトジェスチャ等の、様々な異なるタイプのジェスチャを認識することができる。従って、ＮＵＩ入力装置３０６は、入力同士の間の分離状態を認識及び活用することによって、様々な異なるジェスチャ技術をサポートすることができる。ナチュラル・ユーザインターフェイス（NUI）の入力を区別することによって、これらの入力だけで可能になるジェスチャの数も増大することに留意されたい。
【００３６】
例えば、動きは同じであってもよいが、異なるタイプの入力を使用して異なるジェスチャ（又は、類似のコマンドとは異なるパラメータ）を指し示すことができる。こうして、ＮＵＩ入力装置３０６は、タッチを伴わない様々なユーザとの対話をサポートするナチュラル・ユーザインターフェイスをサポートすることができる。この例では、ディスプレイ装置１１４に取り付けられるように図示されているが、ＮＵＩ入力装置３０６の機能は、アクセサリモジュール式コンポーネント１２６の一部として組み込むこともできる。
【００３７】
ＮＵＩ入力装置３０６は、様々な異なる構成での使用をサポートするように構成することができる。例えば、ＮＵＩ入力装置２０６のカメラは、画像を取り込み、その画像をコンピュータモジュール式コンポーネント１１８に通信して、前述したように１つ又は複数のジェスチャを認識するように構成することができる。カメラは、図４に示されるように、ディスプレイ装置１１４の回転と協働して回転するように構成してもよい。さらに、この回転は、例えばモータを使用して、ディスプレイ装置１１４の回転に応じて、ユーザの介入なしに、自動的に行うことができる。例えば、ユーザの顔の検出及びユーザの顔を視野内に維持するようなカメラの対応する回転によって、コンピュータ装置のユーザとカメラとの間に視線が維持されるように、ユーザの介入なしで、自動的に回転を行うことができる。
【００３８】
アクセサリモジュール式コンポーネント１２６は、前述したように、様々なアクセサリハードウェア要素１３０を含むことができる。１つのそのような例では、ホログラフィを表面１０４の上に浮かび上がらせるように投影するホログラフィック投影機能が、含まれている。ホログラムは、ジェスチャに対応するように使用可能な制御表示を介してジェスチャの可用性を示すことによって、ＮＵＩとのユーザ対話を案内する等、様々な方法で構成することができる。例えば、ホログラムは、カーソルを制御するためにＮＵＩ入力装置３０６によって動きが検出可能な位置を示すトラックパッドとして構成してもよい。種々の他の例も企図される。
【００３９】
図４は、ディスプレイモジュール式コンポーネントのハウジングに対するディスプレイ装置の動きが示されている例示的な実装形態４００を表す。この実装形態は、第１、第２、及び第３の実施例４０２，４０４，４０６を使用して示される。第１の実施例４０２では、ディスプレイ装置１１４は、ディスプレイモジュール式コンポーネント１０８のハウジング１１０の軸線に対して略４５°の角度で配置されるものとして示されており、ディスプレイモジュール式コンポーネント１０８は、他のモジュール式コンポーネントが接続されるハウジング１１０の表面、及び／又はハウジング１１０を配置すべき表面に対応するものとして規定される。従って、これは、ユーザがデスクトップコンピュータとの対話を模倣する方法でディスプレイ装置１１４を見るような「直立」構成と考えることができる。
【００４０】
ディスプレイ装置１１４は、第２の実施例４０４に示されるように、上述した軸線を規定する、ディスプレイモジュール式コンポーネント１０８のハウジング１１０の表面に対して「平らに」置くために、ヒンジ１１６を使用して回転することもできる。これは、例えばジェスチャ、スタイラス等を介して、ユーザがディスプレイ装置１１４のタッチスクリーン機能と対話することができる「書き込み構成」と考えられる。このようにして、ユーザは、ディスプレイ装置と快適に対話して、手書き、描画等を行うことができる。
【００４１】
ヒンジ１１６は、様々な異なる方法で構成することができる。例えば、ヒンジ１１６は、約１８０度以上の回転をサポートするように構成することができる。ヒンジ１１６は、所望の角度を維持するように摩擦ヒンジとして構成してもよい。さらに、ヒンジは、１つの部分がハウジング１１０に接続され、且つ別の部分がディスプレイ装置１１４に接続されるスプリットヒンジ１１６として構成してもよく、それによって単一の接合部がユーザによって視認される。さらに、ヒンジ１１６は、ハウジング１１０内に埋め込んでもよく、さらにハウジング１１０の内部に隠してもよい。１つ又は複数の実装形態では、ヒンジ１１６は、例えばハウジング１１０に対して摺動運動を可能にする回転に加えて、ディスプレイ装置１１４が所定の位置に摺動することを可能にするように構成してもよい。例えば、ディスプレイ装置１１４は、ユーザにとってより快適な方法でタッチ入力を行える角度に回転されるときに、ディスプレイ装置１１６が前方にスライドすることを可能にするために、背面にヒンジを含むことができる。本発明の精神及び範囲から逸脱することなく、様々な他の例も企図される。
【００４２】
コンピュータ装置は、第３の実施例４０６に示されるように、電子的に補償されたピボット制御システムを含むこともでき、コンピュータ装置１０２は、軸線上で旋回するピボット可能な構成要素４０８，４１０を有するヒンジ１１６を含む。ピボット可能な構成要素は、ディスプレイ装置１１４を複数の表示位置のうちの１つに位置付けするように協働して旋回するように実装される。ピボット可能な構成要素は、ピボット可能な構成要素を駆動して、装置ハウジングを位置付けするように実装されたアクチュエータ４１２を含む。オプションで、クラッチ機構４１４が、ピボット可能な構成要素の動きに関与して制限するように、又はアクチュエータによって駆動されたときにピボット可能な構成要素の動きを解除可能にするように実装される。この例では、デュアルピボットシステムが示されているが、装置は、装置ハウジングを表示位置に位置付けするために協働して旋回（ピボット回転）する任意数のピボット可能な構成要素を含むことができる。
【００４３】
この例では、ピボット可能な構成要素４０８及び４１０、アクチュエータ４１２、及びクラッチ機構４１４が、単なる例示のために示されている。実際には、ピボット可能な構成要素、アクチュエータ、及びクラッチ機構は、異なる構成要素を有する任意数の構成で実装することができる。様々な実装形態では、アクチュエータは、任意のタイプのブラシ付き又はブラシレスモータ、サーボモータとして、又は電磁石を用いて実装してもよい。さらに、クラッチ機構は、クラッチバレル、回転ディスク又はドラムブレーキ、粒子式クラッチ、電磁ブレーキ、干渉及び／又は摩擦嵌合ロック（例えば、一方向ローラーベアリング）、及び／又は他のタイプのクラッチ機構として実装することができる。クラッチ機構は、クラッチ機構がピボット可能な構成要素と係合及び／又は解除するのを開始するように実装されたアクチュエータによって作動してもよい。
【００４４】
実施形態では、ピボット・コントローラ４１６は、センサデータに基づいてアクチュエータ４１２及び／又はクラッチ機構４１４を制御して、ピボット可能な構成要素４０８及び４１０の１つ又は複数を一緒に移動させ、且つ装置ハウジングを表示位置に位置付けするように実装される。例えば、ピボット・コントローラ４１６は、圧力センサデータ及び／又はトルクセンサデータに基づいてアクチュエータを制御して、装置ハウジングを表示位置に位置付けするように実装される。ピボット・コントローラは、圧力センサデータ及び／又はトルクセンサデータに基づいて装置ハウジングを再位置付け（例えば、上昇、下降、及び／又は傾斜）させるユーザ入力を決定するように実装され、且つピボット可能な構成要素を移動させるように制御して、装置を位置付けする。実施形態では、ピボット・コントローラは、ピボット可能な構成要素４０８及び４１０を電子的に制御して、装置位置の範囲に亘ってコンピュータ装置の可変する重心のバランスを調整し、装置ハウジングを再位置するために加えられるユーザ入力の力を最小限に抑える。
【００４５】
実装形態では、ピボット・コントローラ４１６は、比例積分微分（PID）制御フィードバックを利用して、コンピュータ装置の可変する重心のバランスを取って、コンピュータ装置を再位置付けするために加えられるユーザ入力の力を最小限に抑える。バランス調整（カウンターバランス）は、ユーザ入力の力が、全動作範囲に亘って同様に重量が掛けられているか又は重力が掛けられていないように感じることを提供する。各構成要素の位置を感知し、且つ既知の幾何学的形状に対して計算することにより、装置の全運動範囲に亘って同じ効果を生成するバランス調整又は摩擦を調整するために、電子的な補償装置を実装することができる。
【００４６】
アクティブなバランス調整（カウンターバランス）は、様々な技術によって実施することができる。ある実装形態では、ＰＩＤ制御を有するモータを利用することができ、モータ位置は、リニアホール効果センサによって感知される。ピボット・コントローラ４１６は、一体化された圧力センサを用いて装置支持体からの圧力データをサンプリングして、ユーザからの力入力なしで装置支持体上の力を正規化する等の動的な力入力を決定することができる。装置の３つの質量体（例えば、ベース、支持アーム、及びディスプレイ装置）に加速度計を使用することにより、ピボット・コントローラは、任意の所与の点において、正規化係数に対して静圧をどのような値とすべきかを決定することができる。圧力センサによって又は代替実装形態のトルクセンサによって測定された動的な力入力に依存して、ピボット・コントローラは、位置、積分、微分制御を用いてピボット可能な構成要素を特定の位置に駆動する。
【００４７】
ピボット・コントローラ４１６は、クラッチ機構４１４と係合して、ピボット可能な構成要素４０８及び４１０の、装置ハウジングの不安定な又は望ましくない位置への移動を制限又は抵抗し、及び／又はクラッチ機構を解除して、ピボット可能な構成要素を装置ハウジングの安定した又は望ましい位置に移動させる。ピボット・コントローラは、装置ハウジングの不安定な位置を判定し、及びアクチュエータ４１２の起動を開始して、装置ハウジングを安定した位置に再位置付けすることもできる。例えば、位置付け入力及びセンサデータをピボット・コントローラに提供するために、回転式ポテンショメータ又は加速度計を実装することができる。
【００４８】
さらに、ピボット・コントローラ４１６は、位置付け入力に対応するセンサデータに基づいてディスプレイ装置１１４の不安定な位置に向かう動きを判定し、且つクラッチ機構４１４に係合してピボット可能な構成要素４０８及び４１０の不安定な位置への移動を制限するように実装される。ピボット・コントローラは、センサデータに基づいて装置ハウジングを傾斜又は再位置付けし、及びユーザ入力に抵抗するようにアクチュエータ及びクラッチ機構を制御するために、力又はトルク入力等のユーザ入力を決定し、及び／又は圧力を入力として検出することができる。また、ピボット・コントローラは、システムの重心のバランスを取るようにアクチュエータ及び／又はクラッチ機構を制御し、それによって、装置ハウジングが移動する際に、ユーザ入力の力が、ユーザにとって非線形の力範囲に亘って均一であるように感じさせる。ユーザが装置を動かすために加える見かけの力は、ほぼ一定であり、且つゼロに近い（それによって、例えば、装置が追従力(force  follower)を有するように浮くように見える）。
【００４９】
図５及び図６は、モジュール式コンポーネントが、対応する機能をモジュール式コンポーネントに追加又は除去するために交換可能な、内部に配置されたハウジングを含む例示的な実装形態５００，６００を示す。この例では、図１及び図３のディスプレイモジュール式コンポーネント、コンピュータモジュール式コンポーネント、又はアクセサリモジュール式コンポーネント１０８，１１８，１２６，３０２のいずれか１つ等の、モジュール式コンポーネント１１６のハウジング５０２が示されている。ハウジング５０２は、様々な機能がモジュール式コンポーネントと「交換される」ように、内部に配置される複数の他のハウジング５０４，５０６，５０８，５１０を受容するように構成されるので、モジュール式コンポーネント１１６自体が交換可能であるだけでなく、モジュール式コンポーネント１１６内の機能も同様に交換可能である。
【００５０】
コンピュータモジュール式コンポーネント１１８の例では、例えば、ハウジング５０４〜５１０は、メモリ、無線ネットワーク機能、グラフィック処理ユニット、及び処理システムに対応し得る。これらのハウジング５０４〜５１０は、ハウジング５０２内の対応するレセプタクル内に配置されるポッドとして構成してもよい。例えば、例えば、突起部及びキャビティの使用、機械式アタッチメント、磁気（例えば、磁束噴流）等によって、通信可能且つ物理的な結合部を支持してもよい。このようにして、ユーザは、モジュール式コンポーネント１１６の機能を変更するために、ハウジング５０４〜５１０の新しい１つを単に取り外して「交換する」だけで足りる。共通の空気導管５１２を利用して、ハウジング５０２〜５１０を介するだけでなくモジュール式コンポーネント１１６同士の間での熱管理を容易にすることができる。例えば、コンピュータモジュール式コンポーネントは、他のモジュール式コンポーネント１１６を冷却するために利用される単一のファンを含むことができる。
【００５１】
図７は、コンピュータ装置１０２が様々な方法で構成される例示的な実装形態７００を表す。この例示的な実装形態は、図１のコンピュータ装置１０２の第１、第２、及び第３の実施例７０２，７０４，７０８を含む。第１の実施例７０２では、回転可能なマウント７０２が、表面１０４又は他の装置に取り付けられたときに、全体としてコンピュータ装置１０２の回転をサポートするように構成される。従って、この例では、レジ係は、ディスプレイ装置１１４と対話して購入品を入力し、クレジットカードリーダーを使用してクレジットカードを入力するためにアクセサリモジュール１２６を使用し、次にユーザがタッチスクリーン機能を使用して検出される署名を行うようにディスプレイ装置１１４を回転させる。
【００５２】
第２の実施例７０４では、コンピュータ装置１０２は、例えば、図示される時計、リング、ネックレス、ブローチ、キーホルダー等のウェアラブル装置として構成される。この例のウェアラブル装置は、前述したような機械的、磁気的等の様々な技術を使用して手首ストラップに取り付け可能なリンクとして形成された複数のモジュール式コンポーネント７１０を含む。このようにして、ユーザが直感的な方法で機能を追加することができる。
【００５３】
第３の実施例７０６では、コンピュータ装置１０２は、回転式カート７１２に垂直方向に取り付けられており、自立しており、且つ容易に移動することができる。機器（例えば、冷蔵庫）、（例えば、会議室の）壁等に取り付ける等の、様々な他の例も企図される。
【００５４】
図８〜図１３は、コンピュータ装置１０２の追加の例示的な実装形態８００，９００，１０００，１１００，１２００，１３００を表す。この例のコンピュータ装置１０２は、以下でさらに説明するようにモジュール式であってもよいベース８０２を含む。
【００５５】
コンピュータ装置１０２は、ヒンジ機構１８を使用してベース８０２に接続される。この例では、ヒンジ機構１８は、複数の部材８０４を含む。第１の回転装置８０６を使用して、ヒンジ機構１８の部材８０４をベース８０２に接続し、第２の回転装置８０８を使用して、ヒンジ機構１８の部材８０４をディスプレイ装置１１４に接続する。
【００５６】
第１及び第２の回転装置８０６，８０８は、様々な方法で構成可能である。例えば、（例えば、電磁的、機械的等の）クラッチを含むことが可能であり、このクラッチは、回転制御モジュール８１０によって制御される。回転制御モジュール８１０は、センサを利用して、クラッチをいつ係合及び解除したかを検出するように構成される。
【００５７】
図１３は、第１及び第２のステージ１３０２，１３０４を使用してディスプレイ装置１１４をベース８０２に対して位置付けした例示的な実装形態１３００を表す。センサ８１２は、ディスプレイ装置の一部として構成されたタッチスクリーンセンサを、ディスプレイ装置１１４のハウジングの側部８１４に、ディスプレイ装置１１４のそのディスプレイの反対側に配置された後部８８に含むことができる。
【００５８】
センサ８１２の出力は、回転制御モジュール８１０によって処理されたときに、第１及び第２の回転装置８０６，８０８の回転をいつ許可するかを検出するために使用可能である。例えば、回転制御モジュール８１０は、ディスプレイ装置１１４が、ユーザの手によって把持されることを検出することができ、第１及び第２の回転装置８０６，８０８の係合が解除されたことに応答して、ディスプレイ装置１１４を、説明したようにユーザによってベース８０２に対して所望の位置に位置付けするのを可能にする。
【００５９】
そのように位置付けされると、ユーザは、センサ８１２を用いて回転制御モジュール８１０によって検出される把持を解除することができ、これに応答して、第１及び第２の回転装置８０６，８０８のクラッチを再係合させる。このようにして、ディスプレイ装置１１４は、このディスプレイ装置１１４が例えば２４インチ以上の比較的大きなサイズを有する場合であっても、ユーザの片方の手で所望するように効率的に位置付けすることができる。
【００６０】
さらに、回転制御モジュール８１０は、ディスプレイ装置１１４がベース８０２と接触し、バランスが狂い、ディスプレイ装置１１４の下エッジ部が、ベース８０２が載置される面と接触するのを制限する構成を回避するために特定の構成を許可又は阻止する等、コンピュータ装置を保護するように構成される。
【００６１】
図９を再び参照すると、コンピュータ装置１０２の正面図が示されている。この例では、ディスプレイ装置１１４は、ディスプレイが前面と側面との間のエッジ部に達する「エッジ部まで延びるガラス(glass  to  the  edge)」構成を含む。ディスプレイ装置１１４は、９ミリメートル（ｍｍ）未満（例えば、８．５ｍｍ）の厚さを有し、マイク、ディスプレイの一部としての３次元カメラ、スピーカ及び底部に沿ったゴムバンパー、着脱可能なストレージ（例えば、ＳＤ）、及び側面に沿ったＵＳＢ接続を含む。
【００６２】
図１１は、コンピュータ装置１０２の後部を表す。この例では、ヒンジ機構１８とディスプレイ装置１１４との間の接続を支持する接続部分１１０２が示されている。ディスプレイ装置１１４は、湾曲した後部ハウジングを有しており、この後部ハウジングは、ディスプレイ装置１１４のディスプレイの表面全体に亘る剛性及びねじれ剛性を提供する。相補的な光出力を提供するために使用され得るバックライトＬＥＤ又は他の光出力装置１１０４が、側部に含まれ、その相補的な光出力は、ディスプレイ装置１１４によって表示される。
【００６３】
この例における接続部分１１０２は、くさび形状を有しており、このくさび形状は、コンピュータ装置１０２のハードウェアコンポーネントを収容するために使用され得る。一実装形態では、接続部分１１０２は、ディスプレイ装置１１４に恒久的に固定される。別の例では、接続部分１１０２は、ディスプレイ装置１０２を接続部分１１０２から分離可能にするように取り外し可能である。
【００６４】
例えば、ディスプレイ装置１０２は、接続部分１１０２、従ってコンピュータ装置１０２のベース８０２に取り外し可能に接続されたタブレットコンピュータとして構成してもよい。回転制御モジュール８１０は、例えば、ユーザが片手でディスプレイ装置１１４を把持したことを検出し、こうして回転を可能にさせ、両手で把持されたときに、接続部分とディスプレイ装置１１４とを分離させるように構成される。別の例では、回転制御モジュール８１０は、ユーザが２本の指でディスプレイ装置１１４を把持したことを検出し、こうして回転を可能にさせ、２本以上の指で把持したときに、接続部分とディスプレイ装置１１４とを分離させるように構成される。
【００６５】
ベース８０２は、追加のハードウェア、データストレージ、及び／又はネットワーク接続等、ディスプレイ装置１１４のタブレット機能を補うためのハードウェアコンポーネントを含むことができる。ディスプレイ装置１１４は、部材８０４を介した有線接続、無線接続等の様々な方法でベース８０２に通信可能に結合することができる。
【００６６】
コンピュータ装置１０２は、様々な他の特徴を含むことができる。例えば、ベース８０２の表面にキーボードを含んでもよい。さらに、ディスプレイ装置１１４及び／又はベースにプロジェクタを含めて、キーボードの画像を投影して、この投影画像を使用して、３次元カメラの使用によってユーザ対話を検出する。ベース８０２は、前述したモジュール構成だけでなく、前面から空気を引き込み、側面及び背面を介して排気するような熱システムを支持するための段付きエッジ部も含むことができる。
【００６７】
例示的な手順
以下の説明は、前述したシステム及び装置を利用して実装され得るモジュール式コンピュータ装置技術について説明する。各手順の態様は、ハードウェア、ファームウェア、又はソフトウェア、又はそれらの組合せとして実装することができる。手順は、１つ又は複数の装置によって実行される動作を指定するブロックのセットとして示され、必ずしも各ブロックによる動作を実行するために示された順序に限定されるものではない。以下の説明部分では、図１〜図１３について、参照を行う。
【００６８】
図１４は、図１のモジュール式コンピュータ装置がスタックによって組み立てられる例示的な実装形態における手順１４００を表すフロー図である。複数のモジュール式コンポーネント１１６が取得され、各モジュール式コンポーネントは、互いにスタック可能な構成を形成するように構成されたそれぞれのハウジングを有する（ブロック１４０２参照）。モジュール式コンポーネントの例には、ディスプレイモジュール式コンポーネント１０８、コンピュータモジュール式コンポーネント１１８、アクセサリモジュール式コンポーネント１２６等が含まれる。複数のモジュール式コンポーネント１１６は、積み重ねられて、コンピュータ装置１０２を形成し（ブロック１４０４参照）、それにより、ユーザが所望するような様々な機能を有することができる。
【００６９】
システム及び装置の例
図１５は、本明細書に記載の様々な技術を実装することができる１つ又は複数のコンピュータシステム及び／又は装置を表す例示的なコンピュータ装置１５０２を含む例示的なシステム１５００を示す。コンピュータ装置１５０２は、例えば、サービスプロバイダのサーバ、クライアントに関連する装置（例えば、クライアント装置）、オンチップシステム、及び／又は任意の他の適切なコンピュータ装置又はコンピュータシステムとすることができる。
【００７０】
図示されるような例示的なコンピュータ装置１５０２は、処理システム１５０４、１つ又は複数のコンピュータ可読媒体１５０６、及び１つ又は複数のＩ／Ｏインターフェイス１５０８を含み、それらは互いに通信可能に結合される。図示されていないが、コンピュータ装置１５０２は、様々なコンポーネントを互いに結合するシステムバス又は他のデータ及びコマンド転送システムをさらに含むことができる。システムバスは、メモリバス又はメモリコントローラ、周辺バス、ユニバーサルシリアルバス、及び／又は様々なバスアーキテクチャのいずれかを利用するプロセッサ又はローカルバス等、様々なバス構造の任意の１つ又は組合せを含むことができる。制御線やデータ線等、様々な他の例も企図される。
【００７１】
処理システム１５０４は、ハードウェアを使用して１つ又は複数の動作を実行する機能を表す。従って、処理システム１５０４は、プロセッサ、機能ブロック等として構成され得るハードウェア要素１５１０を含むものとして示される。これは、特定用途向け集積回路又は１つ又は複数の半導体を使用して形成された他の論理装置としてハードウェアに実装することを含み得る。ハードウェア要素１５１０は、それらハードウェア要素が形成される材料、又はその内部に使用される処理機構によって限定されるものではない。例えば、プロセッサは、半導体及び／又はトランジスタ（例えば、電子集積回路（IC））で構成することができる。このような状況において、プロセッサ実行可能命令は、電子的に実行可能な命令であってもよい。
【００７２】
コンピュータ可読記憶媒体１５０６は、メモリ／ストレージ１５１２を含むものとして示されている。メモリ／ストレージ１５１２は、１つ又は複数のコンピュータ可読媒体に関連するメモリ／ストレージ容量を表す。メモリ／記憶コンポーネント１５１２は、揮発性媒体（ランダムアクセスメモリ（RAM）等）、及び／又は不揮発性媒体（読み出し専用メモリ(ROM)、フラッシュメモリ、光ディスク、磁気ディスク等）を含むことができる。メモリ／ストレージコンポーネント１５１２は、固定式媒体（例えば、ＲＡＭ、ＲＯＭ、固定式ハードドライブ等）だけでなく、リムーバブル媒体（例えば、フラッシュメモリ、リムーバブルハードドライブ、光ディスク等）も含むことができる。コンピュータ可読媒体１５０６は、以下でさらに説明するように、様々な他の方法で構成することができる。
【００７３】
入出力インターフェイス（複数可）１５０８は、ユーザがコマンド及び情報をコンピュータ装置１５０２に入力することを可能にし、且つ様々な入出力装置を使用してユーザ及び／又は他の構成要素又は装置に情報を提示することも可能にする機能を表す。入力装置の例には、キーボード、カーソル制御装置（例えば、マウス）、マイク、スキャナ、タッチ機能（例えば、物理的タッチを検出するように構成された容量性センサ又は他のセンサ）、カメラ（タッチを伴わないジェスチャとして動きを認識するために可視波長又は赤外線周波数等の非可視波長を使用する）等が含まれる。出力装置の例には、ディスプレイ装置（例えば、モニタ又はプロジェクタ）、スピーカ、プリンタ、ネットワークカード、触覚応答装置等が含まれる。こうして、コンピュータ装置１５０２は、ユーザ対話をサポートするために以下でさらに説明するような様々な方法で構成することができる。
【００７４】
本明細書では、ソフトウェア要素、ハードウェア要素、又はプログラムモジュールの一般的な文脈で様々な技術を説明し得る。一般に、そのようなモジュールは、特定のタスクを実行し又は特定の抽象データ型を実装するルーチン、プログラム、オブジェクト、要素、コンポーネント、データ構造等を含む。本明細書で使用する「モジュール」、「機能」、及び「コンポーネント」という用語は、一般に、ソフトウェア、ファームウェア、ハードウェア、又はそれらの組合せを表す。本明細書で説明される技術の特徴は、プラットフォームに依存しないものであり、これら技術が種々のプロセッサを有する様々な商用コンピュータプラットフォーム上で実装され得ることを意味する。
【００７５】
説明するモジュール及び技術の実装形態は、何らかの形態のコンピュータ可読媒体上に記憶してもよく、又はそれら媒体を介して伝送してもよい。コンピュータ可読媒体は、コンピュータ装置１５０２によってアクセスし得る様々な媒体を含むことができる。限定ではなく一例として、コンピュータ可読媒体は、「コンピュータ可読記憶媒体」及び「コンピュータ可読信号媒体」を含むことができる。
【００７６】
「コンピュータ可読記憶媒体」は、単なる信号伝送、搬送波、又は信号そのものとは対照的に、情報の恒久的及び／又は非一時的な記憶を可能にする媒体及び／又は装置を指し得る。従って、コンピュータ可読記憶媒体は、非信号ベアリング媒体を指す。コンピュータ可読記憶媒体は、コンピュータ可読命令、データ構造、プログラムモジュール、論理素子／回路、又は他のデータ等の情報の記憶に適した方法又は技術で実装された揮発性及び不揮発性の消去可能及び消去不可能な媒体及び／又は記憶装置等のハードウェアを含むことができる。コンピュータ可読記憶媒体の例には、限定されるものではないが、ＲＡＭ、ＲＯＭ、ＥＥＰＲＯＭ、フラッシュメモリ又は他のメモリ技術、ＣＤ−ＲＯＭ、デジタル多用途ディスク（DVD）又は他の光学記憶装置、ハードディスク、磁気カセット、磁気テープ、磁気ディスク記憶装置又は他の磁気記憶装置、或いは他の記憶装置、有形の媒体、又は所望の情報を記憶するのに適した製造物品であり、これらはコンピュータによってアクセスされ得る。
【００７７】
「コンピュータ可読信号媒体」は、ネットワーク等を介して、コンピュータ装置１５０２のハードウェアに命令を送信するように構成された信号ベアリング媒体を指すことができる。信号媒体は、典型的には、コンピュータ可読命令、データ構造、プログラムモジュール、他のデータを、搬送波、データ信号、又は他の転送機構等の変調データ信号で具体化することができる。信号媒体には、あらゆる情報伝達媒体も含まれる。「変調されたデータ信号」という用語は、その特性の１つ又は複数が、信号内の情報を符号化するような方法で設定又は変更された信号を意味する。限定ではなく例として、通信媒体には、有線ネットワーク又は直接有線接続等の有線媒体、並びに音響、ＲＦ、赤外線、及び他の無線媒体等の無線媒体が含まれる。
【００７８】
前述したように、ハードウェア要素１５１０及びコンピュータ可読媒体１０６は、ハードウェア形式で実装されたモジュール、プログラマブル論理装置及び／又は固定論理装置を表しており、これらはいくつかの実施形態では用いられ、１つ又は複数の命令を実行する等、本明細書に記載される技術の少なくともいくつかを実装する。ハードウェアには、集積回路又はオンチップシステム、特定用途向け集積回路（ASIC）、フィールドプログラマブルゲートアレイ（FPGA）、複雑なプログラマブル論理装置（CPLD）、及びシリコンの他の実装形態又は他のハードウェアのコンポーネントを含むことができる。この文脈では、ハードウェアは、命令によって規定されるプログラムタスク及び／又はハードウェアによって実現されるロジックだけでなく、実行するための命令を記憶するために利用されるハードウェア、例えば前述したコンピュータ可読記憶媒体を実行する処理装置として動作することができる。
【００７９】
前述したものの組合せを用いて、本明細書に記載された様々な技術を実装することもできる。従って、ソフトウェア、ハードウェア、又は実行可能モジュールは、ある形態のコンピュータ可読記憶媒体で及び／又は１つ又は複数のハードウェア要素１１０によって具体化された１つ又は複数の命令及び／又は論理として実装してもよい。コンピュータ装置１５０２は、ソフトウェア及び／又はハードウェアモジュールに対応する特定の命令及び／又は機能を実装するように構成することができる。従って、コンピュータ装置１５０２によってソフトウェアとして実行可能なモジュールの実装形態は、例えば、コンピュータ可読記憶媒体及び／又は処理システム１５０４のハードウェア要素１５１０の使用によって、ハードウェア内で少なくとも部分的に達成することができる。本明細書に記載の技術、モジュール、及び実施例を実装するために、１つ又は複数の製造物品（例えば、１つ又は複数のコンピュータ装置１５０２及び／又は処理システム１５０４）によって命令及び／又は機能を実行可能／動作可能にすることができる。
【００８０】
図１５にさらに示されるように、例示的なシステム１５００は、パーソナルコンピュータ（PC）、テレビ装置、及び／又はモバイル装置上でアプリケーションを実行する際に、シームレスなユーザ経験のためのユビキタス環境を可能にする。アプリケーションを利用し、ビデオゲームで遊び、ビデオを視聴する等の間に、ある装置から次の装置に移行する際に、共通のユーザ経験のために、３つの環境全てにおいて、サービス及びアプリケーションが、実質的に同様に動作する。
【００８１】
例示的なシステム１５００では、複数の装置が、中央コンピュータ装置を介して相互接続される。中央コンピュータ装置は、複数の装置に対してローカルにあってもよく、又は複数の装置からリモートに位置してもよい。一実施形態では、中央コンピュータ装置は、ネットワーク、インターネット、又は他のデータ通信リンクを介して複数の装置に接続された１つ又は複数のサーバコンピュータのクラウドであってもよい。
【００８２】
一実施形態では、この相互接続アーキテクチャによって、複数の装置のユーザに共通の且つシームレスな経験を提供するために、複数の装置に亘って機能が配信されることを可能にする。複数の装置のそれぞれは、異なる物理的要件及び能力を有することができ、中央コンピュータ装置は、プラットフォームを使用して、装置に適合し且つ全ての装置に共通の経験を装置に配信するのを可能にする。一実施形態では、ターゲット装置のクラスが形成され、経験が、装置の一般的なクラスに合わせて調整される。装置のクラスは、物理的特徴、使用のタイプ、又は装置の他の共通特性によって規定することができる。
【００８３】
様々な実装形態において、コンピュータ装置１０２は、コンピュータ１５１４、モバイル１５１６、及びテレビ１５１８の使用等の、様々な異なる構成を取ることができる。これらの構成のそれぞれは、概して異なる構成及び能力を有し得る装置を含み、従って、コンピュータ装置１５０２は、様々な装置クラスの１つ又は複数に従って構成してもよい。例えば、コンピュータ装置１５０２は、パーソナルコンピュータ、デスクトップコンピュータ、マルチスクリーンコンピュータ、ラップトップコンピュータ、ネットブック等を含む装置のコンピュータ１５１４のクラスとして実装することができる。
【００８４】
コンピュータ装置１５０２は、携帯電話、携帯音楽プレーヤー、携帯ゲーム装置、タブレットコンピュータ、マルチスクリーンコンピュータ等のモバイル装置を含む装置のモバイル１５１６のクラスとして実装することができる。コンピュータ装置１５０２は、カジュアルな視聴環境において一般的により大きなスクリーンを有するか又はそれに接続された装置を含む装置のテレビ１５１８のクラスとして実装することができる。これらの装置には、テレビ、セットトップボックス、ゲーム機等が含まれる。
【００８５】
本明細書で説明する技術は、コンピュータ装置１５０２のこれらの様々な構成によってサポートしてもよく、本明細書に記載される技術の特定の実施例に限定されるものではない。この機能は、以下に説明するようにプラットフォーム１５２２を介して「クラウド」１５２０等の分散システムを使用することによって、全体的又は部分的に実装することもできる。
【００８６】
クラウド１５２０は、リソース１５２４のためのプラットフォーム１５２２を含む、及び／又はそれを表す。プラットフォーム１５２２は、クラウド１５２０のハードウェア（例えば、サーバ）及びソフトウェアリソースの基礎機能を抽象化する。リソース１５２４は、利用され得るアプリケーション及び／又はデータを含む一方、コンピュータ処理は、コンピュータ装置１５０２から遠隔のサーバ上で実行される。リソース１５２４は、インターネットを介して及び／又は、セルラ又はＷｉ−Ｆｉネットワーク等の加入者ネットワークを介して提供されるサービスを含むこともできる。
【００８７】
プラットフォーム１５２２は、コンピュータ装置１５０２を他のコンピュータ装置に接続するためのリソース及び機能を抽象化することができる。プラットフォーム１５２２は、プラットフォーム１５２２を介して実装されるリソース１５２４に対する直面した要求に対して対応する規模のレベルを提供するために、リソースのスケーリングを抽象化するように働くこともできる。従って、相互接続された装置の実装形態では、本明細書で説明する機能の実装は、システム１５００を通して配布することができる。例えば、機能は、コンピュータ装置１５０２上に部分的に実装されてもよく、クラウド１５２０の機能を抽象化するプラットフォーム１５２２を介して実装してもよい。
【００８８】
結論
本明細書に記載された例示的な実装形態は、以下の１つ又は複数の実施例のうちの１つ又は任意の組合せを含むが、これらに限定されるものではない。
【００８９】
１つ又は複数の実施例では、コンピュータ装置は、ハウジングと、ヒンジを介してハウジングに物理的及び通信可能に結合されたディスプレイ装置と、ハウジング内に配置され且つディスプレイ装置を表示するためのディスプレイを出力するように構成された１つ又は複数のディスプレイハードウェア要素とを含むディスプレイモジュール式コンポーネントと；
ディスプレイモジュール式コンポーネントに物理的及び通信可能に結合されたハウジングと、ハウジング内に配置された処理システムと、ハウジング内に配置されたメモリとを含むコンピュータモジュール式コンポーネントと；を有しており、
処理システムは、処理システムによって記憶された命令を実行して、ディスプレイモジュール式コンポーネントのディスプレイ装置によって表示するためのユーザインターフェイスを生成するように構成される。
【００９０】
上記又は下記の実施例を単独で又はいずれかと組み合わせて記載された実施例として、コンピュータモジュール式コンポーネントは、機械的アッタチメントを形成するために、キャビティを介して受容される１つ又は複数の突起部によってディスプレイモジュール式コンポーネントに接続されるように構成される。
【００９１】
上記又は下記の実施例を単独で又はいずれかと組み合わせて記載された実施例として、機械的アッタチメントは、軸ずれした取外し(off-axis  removal)によって、１つ又は複数の突起部の機械的結合をそれぞれのキャビティ内で生じさせるように形成される。
【００９２】
上記又は下記の実施例を単独で又はいずれかと組み合わせて記載された実施例として、コンピュータモジュール式コンポーネントは、磁気アタッチメント装置による磁気取付け支持によってディスプレイモジュール式コンポーネントに接続されるように構成される。
【００９３】
上記又は下記の実施例を単独で又はいずれかと組み合わせて記載された実施例として、磁気アタッチメント装置は、磁束噴流(flux  fountain)を含む。
【００９４】
上記又は下記の実施例を単独で又はいずれかと組み合わせて記載された実施例として、ディスプレイモジュール式コンポーネント及びコンピュータ装置のモジュール式コンポーネントは、ディスプレイモジュール式コンポーネント及びコンピュータ装置のモジュール式コンポーネントの熱管理を容易にするように構成された共通の空気導管を共有する。
【００９５】
上記又は下記の実施例を単独で又はいずれかと組み合わせて記載された実施例として、通信可能な接続は、コンピュータ装置のモジュール式コンポーネントがディスプレイモジュール式コンポーネントから電力を受け取るように構成される。
【００９６】
上記又は下記の実施例を単独で又はいずれかと組み合わせて記載された実施例として、ディスプレイモジュール式コンポーネントは、コンピュータモジュール式コンポーネントをディスプレイモジュール式コンポーネントに接続することなく、装置からの表示を可能にするように構成された１つ又は複数の入力部を含む。
【００９７】
上記又は下記の実施例を単独で又はいずれかと組み合わせて記載された実施例として、ディスプレイモジュール式コンポーネント及びコンピュータモジュール式コンポーネントのハウジングは、スタック可能な配置を有する。
【００９８】
上記又は下記の実施例を単独で又はいずれかと組み合わせて記載された実施例として、スタック可能な配置は、コンピュータモジュール式コンポーネントのハウジングが表面に対して配置されるように構成され、ディスプレイモジュール式コンポーネントのハウジングが、コンピュータモジュール式コンポーネントのハウジングの上に積み重ねられるように構成される。
【００９９】
上記又は下記の実施例を単独で又はいずれかと組み合わせて記載された実施例として、ディスプレイモジュール式コンポーネントのヒンジは、１８０度の回転をサポートするように構成される。
【０１００】
上記又は下記の実施例を単独で又はいずれかと組み合わせて記載された実施例として、ディスプレイモジュール式コンポーネントは、ディスプレイ装置が転倒することなくヒンジを介して回転可能となるように、ディスプレイ装置の重量に反作用するのに十分な量の重量を有する。
【０１０１】
上記又は下記の実施例を単独で又はいずれかと組み合わせて記載された実施例として、ディスプレイモジュール式コンポーネントは、異なる機能を有する複数のコンピュータモジュール式コンポーネントに通信可能に結合されるように構成され、複数のコンピュータモジュール式コンポーネントのそれぞれは、互いに異なる視覚特性を有し、異なるそれぞれの機能を示す。
【０１０２】
上記又は下記の実施例を単独で又はいずれかと組み合わせて記載された実施例として、コンピュータモジュール式コンポーネントに物理的且つ通信可能に結合するように構成されたハウジングを含むアクセサリモジュール式コンポーネントをさらに含む。
【０１０３】
上記又は下記の実施例を単独で又はいずれかと組み合わせて記載された実施例として、アクセサリモジュール式コンポーネントは、コンピュータモジュール式コンポーネント及びディスプレイモジュール式コンポーネントに電力を供給するように構成されたバッテリを含む。
【０１０４】
上記又は下記の実施例を単独で又はいずれかと組み合わせて記載された実施例として、バッテリは、コンピュータ装置によって充電可能であり、取り外し可能であり、異なるコンピュータ装置に電力を供給するために使用可能である。
【０１０５】
上記又は下記の実施例を単独で又はいずれかと組み合わせて記載された実施例として、アクセサリモジュール式コンポーネントは、出力装置を含む。
【０１０６】
上記又は下記の実施例を単独で又はいずれかと組み合わせて記載された実施例として、アクセサリモジュール式コンポーネントは、出力装置を含む。
【０１０７】
上記又は下記の実施例を単独で又はいずれかと組み合わせて記載された実施例として、ディスプレイモジュール式コンポーネントのディスプレイ装置に物理的且つ通信可能に結合するように構成されたハウジングを含むナチュラル・ユーザインターフェイスモジュール式コンポーネントをさらに含む。
【０１０８】
上記又は下記の実施例を単独で又はいずれかと組み合わせて記載された実施例として、ナチュラル・ユーザインターフェイスモジュール式コンポーネントは、ユーザの発言を検出するとともに、その発言をコンピュータモジュール式コンポーネントに通信してユーザの１つ又は複数の発声を認識するように構成されたマイクを含む。
【０１０９】
上記又は下記の実施例を単独で又はいずれかと組み合わせて記載された実施例として、ナチュラル・ユーザインターフェイスモジュール式コンポーネントは、画像を取り込むとともに、その画像をコンピュータモジュール式コンポーネントに通信して１つ又は複数のジェスチャを認識するように構成されたカメラを含む。
【０１１０】
上記又は下記の実施例を単独で又はいずれかと組み合わせて記載された実施例として、ナチュラル・ユーザインターフェイスモジュール式コンポーネントのカメラは、ディスプレイ装置の回転と協働して回転するように構成される。
【０１１１】
上記又は下記の実施例を単独で又はいずれかと組み合わせて記載された実施例として、カメラの回転は、ディスプレイ装置の回転に応答してユーザの介入なしで自動的に行われる。
【０１１２】
上記又は下記の実施例を単独で又はいずれかと組み合わせて記載された実施例として、カメラの回転は、モータを使用して行われる。
【０１１３】
上記又は下記の実施例を単独で又はいずれかと組み合わせて記載された実施例として、カメラの回転は、視線がコンピュータ装置のユーザとカメラとの間で維持されるように、ユーザの介在なしで自動的に行われる。
【０１１４】
上記又は下記の実施例を単独で又はいずれかと組み合わせて記載された実施例として、コンピュータモジュール式コンポーネントのハウジングは、内部に配置された処理システムを含むハウジングと、内部に配置されたメモリを含むハウジングとを取り外し可能に受容するように構成され、処理システム及びメモリを含むハウジングは、ツールを使用せずにユーザによってコンピュータモジュール式コンポーネントのハウジング内で交換可能である。
【０１１５】
上記又は下記の実施例を単独で又はいずれかと組み合わせて記載された実施例として、コンピュータモジュール式コンポーネントのハウジングは、コンピュータモジュール式コンポーネントのハウジング内で交換可能な無線通信装置を含むハウジングを取り外し可能に受容するように構成される。
【０１１６】
上記又は下記の実施例を単独で又はいずれかと組み合わせて記載された実施例として、処理システム及びメモリを含むハウジングは、コンピュータモジュール式コンポーネントのハウジングに及びその内部に物理的且つ通信可能に結合される。
【０１１７】
上記又は下記の実施例を単独で又はいずれかと組み合わせて記載された実施例として、処理システム及びメモリを含むハウジングは、１つ又は複数の突起部を介してコンピュータモジュール式コンポーネントのハウジングに及びその内部に物理的及び通信可能に結合されており、その突起部は、キャビティを介して受容され、機械的アッタチメントを形成する。
【０１１８】
上記又は下記の実施例を単独で又はいずれかと組み合わせて記載された実施例として、機械的アッタチメントは、軸ずれした取外しによって、１つ又は複数の突起部の機械的結合をそれぞれのキャビティ内で生じさせるように、形成される。
【０１１９】
上記又は下記の実施例を単独で又はいずれかと組み合わせて記載された実施例として、処理システム及びメモリを含むハウジングは、磁気アタッチメント装置によって支持される磁気的取付けによってコンピュータモジュール式コンポーネントのハウジングに及びその内部に物理的及び通信可能に結合される。
【０１２０】
上記又は下記の実施例を単独で又はいずれかと組み合わせて記載された実施例として、磁気アタッチメント装置は、磁束噴流を含む。
【０１２１】
上記又は下記の実施例を単独で又はいずれかと組み合わせて記載された実施例として、ディスプレイ装置は、タッチスクリーン機能をサポートするように構成される。
【０１２２】
上記又は下記の実施例を単独で又はいずれかと組み合わせて記載された実施例として、ディスプレイモジュール式コンポーネントは、壁又はカートを含む垂直面への取付けをサポートするように構成される。
【０１２３】
上記又は下記の実施例を単独で又はいずれかと組み合わせて記載された実施例として、ディスプレイモジュール式コンポーネントは、コンピュータモジュール式コンポーネントから分離されたときに、オペレーティングシステムを実行するように構成された処理システム及びメモリも含み、コンピュータモジュール式コンポーネントのメモリの処理システムは、物理的及び通信可能に結合されたときに、ディスプレイモジュール式コンポーネントに追加の処理リソース及びメモリリソースを提供するように構成される。
【０１２４】
１つ又は複数の実施例では、ディスプレイモジュール式コンポーネントは、ハウジングと、ヒンジを介してハウジングに物理的且つ通信可能に結合されるディスプレイ装置と、ハウジング内に配置され且つディスプレイ装置によるディスプレイの表示を出力するように構成された１つ又は複数のディスプレイハードウェア要素とを含み、ハウジングは、内部に配置された、ディスプレイに関連する機能をサポートするように構成されたハードウェア要素を有する複数の他のハウジングに通信可能且つ取り外し可能な物理的な結合を形成するように構成される。
【０１２５】
システムは、複数のモジュール式コンポーネントを含み、それぞれのハウジングを有する各モジュール式コンポーネントは、互いにスタック可能な配置を形成するように構成され、且つコンピュータ装置を形成するために物理的及び通信可能に結合されるように構成される。
【０１２６】
１つ又は複数の実施例では、方法は、複数のモジュール式コンポーネントを取得するステップであって、各モジュール式コンポーネントは、互いにスタック可能な構成を形成するように構成されたそれぞれのハウジングを有する、取得するステップと、複数のモジュール式コンポーネントを積み重ねてコンピュータ装置を形成するステップとを含む。
【０１２７】
１つ又は複数の実施例では、コンピュータシステムは、ハウジング及び複数のセンサを有するディスプレイ装置と、表面に配置されるように構成されたベースと、ディスプレイ装置のハウジングにベースを物理的に接続するヒンジ機構であって、複数のクラッチを有するヒンジ機構と、ハードウェアに少なくとも部分的に実装され且つユーザがディスプレイ装置を把持したかどうかをセンサの出力を使用して可能性を検出するように構成された回転制御モジュールであって、クラッチの制御動作に応答して、ヒンジ機構の回転を許可又は制限し、それによってディスプレイ装置のベースに対する位置付けを制御する、回転制御モジュールと、を含む。
【０１２８】
上記又は下記の実施例を単独で又はいずれかと組み合わせて記載された実施例として、複数のセンサは、容量性ンサ、ひずみセンサ、抵抗センサ、又はイメージングセンサである。
【０１２９】
上記又は下記の実施例を単独で又はいずれかと組み合わせて記載された実施例として、ディスプレイ装置及びハウジングは、ベースから独立した動作が可能なタブレットコンピュータとして構成される。
【０１３０】
上記又は下記の実施例を単独で又はいずれかと組み合わせて記載された実施例として、回転制御モジュールは、ディスプレイ装置に潜在的に損傷を与える可能性のある構成を防止するように構成される。
【０１３１】
上記又は下記の実施例を単独で又はいずれかと組み合わせて記載された実施例として、回転制御モジュールは、片方の手で把持したときに回転を可能にするように構成され、複数の手で把持したときにヒンジ機構からディスプレイ装置を分離させることができるように構成される。
【０１３２】
上記又は下記の実施例を単独で又はいずれかと組み合わせて記載された実施例として、運動は、回転運動又は摺動運動を含む。
【０１３３】
１つ又は複数の実施例では、方法は、ユーザが、ディスプレイ装置の少なくとも一部に配置された１つ又は複数のセンサを使用して、コンピュータ装置のディスプレイ装置のハウジングを把持している可能性が高いことを検出するステップと、把持の可能性の検出に応答して、ディスプレイ装置を設定位置に保持し、それによりディスプレイ装置の運動を可能にするように構成された１つ又は複数の保持装置の係合を解除するステップと、ユーザが、ディスプレイ装置の少なくとも一部に配置された１つ又は複数のセンサを使用して、コンピュータ装置のディスプレイ装置のハウジングの把持を中止する可能性が高いことを検出するステップと、把持の中止の検出に応答して、ディスプレイ装置を保持するための１つ又は複数の保持装置を係合させるステップとを含む。
【０１３４】
１つ又は複数の実施例では、システムは、コンピュータモジュール式コンポーネントと、ヒンジを介してコンピュータモジュール式コンポーネントに物理的且つ通信可能に結合されるディスプレイ装置と、コンピュータモジュール式コンポーネント内に配置され且つディスプレイ装置によるディスプレイの表示を出力するように構成された１つ又は複数のディスプレイハードウェア要素とを有しており、コンピュータモジュール式コンポーネントは、内部に配置された、ツールを使用せずにコンピュータモジュール式コンポーネント内で交換可能である複数のハウジングへの通信可能且つ取り外し可能に物理的な結合部を形成するように構成され、複数のハウジングは、内部に配置された処理システムを含む処理システムハウジングと、内部に配置されたメモリを含むメモリハウジングとを含み、ハウジングは、ツールを使用せずにユーザによってコンピュータモジュール式コンポーネントのハウジング内で交換可能な処理システム及びメモリを含む。
【０１３５】
上記又は下記の実施例を単独で又はいずれかと組み合わせて記載された実施例として、複数のハウジングは、コンピュータモジュール式コンポーネントのハウジング内で交換可能な無線通信装置を含む無線通信ハウジングと、コンピュータモジュール式コンポーネント内で交換可能なグラフィック処理機能を含むグラフィック処理ハウジングとを含む。
【０１３６】
１つ又は複数の実施例では、方法は、複数のモジュール式コンポーネントを取得するステップであって、各モジュール式コンポーネントは、互いにスタック可能な配置を形成するように構成されたそれぞれのハウジングを有する、取得するステップと、複数のモジュール式コンポーネントを積み重ねてコンピュータ装置を形成するステップとを含む。
【０１３７】
上記又は下記の実施例を単独で又はいずれかと組み合わせて記載された実施例として、ツールを使用せずにそれぞれのモジュール式コンポーネントの少なくとも１つの内部に配置された複数のハウジングのうちの少なくとも１つを交換するステップをさらに含み、複数のハウジングは、内部に配置された、コンピュータモジュール式コンポーネントのハウジング内で交換可能な処理システムを含む処理システムハウジングと、内部に配置された、コンピュータモジュール式コンポーネントのハウジング内で交換可能なメモリを含むメモリハウジングと、モジュール式コンポーネントのハウジング内で交換可能な無線通信装置を含む無線通信ハウジングと、モジュール式コンポーネント内で交換可能なグラフィック処理機能を含むグラフィック処理ハウジングとを含む。
【０１３８】
例示的な実装形態について、構造的特徴及び／又は方法論的動作に特有の言語で説明してきたが、添付の特許請求の範囲に規定された実装形態は、必ずしも記載された特定の特徴又は動作に限定されないことを理解されたい。むしろ、特定の特徴及び動作は、特許請求の範囲に記載される特徴を実施する例示的な形態として開示される。
【図１】
2017526060.tif 000003
【図２】
2017526060.tif 000004
【図３】
2017526060.tif 000005
【図４】
2017526060.tif 000006
【図５】
2017526060.tif 000007
【図６】
2017526060.tif 000008
【図７】
2017526060.tif 000009
【図８】
2017526060.tif 000010
【図９】
2017526060.tif 000011
【図１０】
2017526060.tif 000012
【図１１】
2017526060.tif 000013
【図１２】
2017526060.tif 000014
【図１３】
2017526060.tif 000015
【図１４】
2017526060.tif 000016
【図１５】
2017526060.tif 000017
【国際調査報告】
2017526060.tif 000018
2017526060.tif 000019
2017526060.tif 000020
2017526060.tif 000021
2017526060.tif 000022